(57)【要約】【課題】通気性がよく表裏のどちら方向にも容易に折曲、巻回可能な布団類を実現する。【解決手段】発泡樹脂にて形成されている芯材が囲繞部材にて囲繞されている布団類であって、前記芯材の表裏面に、夫々その全面にわたって直線状の条溝が相互に平行に延在形成されており、表面側の条溝を裏面側まで貫通させても裏面側の条溝とは干渉せず、裏面側の条溝を表面側まで貫通させても表面側の条溝とは干渉しない位置関係に、表面側の条溝と裏面側の条溝が形成されていることを特徴とする布団類。【選択図】図１
2011104178.tif 000002
【特許請求の範囲】
【請求項１】
発泡樹脂にて形成されている芯材が囲繞部材にて囲繞されている布団類であって、前記芯材の表裏面に、夫々その全面にわたって直線状の条溝が相互に平行に延在形成されており、表面側の条溝同士のピッチと裏面側の条溝同士のピッチは均一且つ同一寸法Ｐ１であって、表面側の条溝と裏面側の条溝との間のピッチＰ２とは、Ｐ１＞Ｐ２なる関係が成立し、且つ表面側の条溝を裏面側まで貫通させても裏面側の条溝とは干渉せず、裏面側の条溝を表面側まで貫通させても表面側の条溝とは干渉しない位置関係に、表面側の条溝と裏面側の条溝が形成されていることを特徴とする布団類。
【請求項２】
条溝の開口幅Ｐ３と条溝同士のピッチＰ１とは、Ｐ１／３＞Ｐ３なる関係が成立することを特徴とする請求項１記載の布団類。
【請求項３】
条溝はその延在方向と直交方向の断面がΩ状を呈している請求項１若しくは請求項２記載の布団類。
【請求項４】
芯材に、囲繞部材が直接囲繞されている請求項１ないし請求項３のいずれかに記載の布団類。
【請求項５】
芯材に、綿類を介して布製の囲繞部が囲繞されている請求項１ないし請求項３のいずれかに記載の布団類。
【請求項６】
芯材は独立気泡にてなる発泡樹脂にて形成されている、請求項１ないし請求項５のいずれかに記載の布団類。
【請求項７】
芯材は連続気泡にてなる発泡樹脂にて形成されている、請求項１ないし請求項５のいずれかに記載の布団類。
【請求項８】
条溝の内部に木炭等の吸湿剤若しくは吸臭剤が装着されている請求項１ないし請求項７のいずれかに記載の布団類。
【請求項９】
条溝の内部にトルマリン等のマイナスイオン発生剤が装着されている請求項１ないし請求項８のいずれかに記載の布団類。
【発明の詳細な説明】
【技術分野】
【０００１】
本発明は、芯材として発泡樹脂が利用されている布団類に関するもので、通気性が高く、また折曲や巻回等の変形が容易で搬送性や収納性の高い布団類の技術に関するものである。
【背景技術】
【０００２】
従来より布団類の芯材として発泡ウレタン等の発泡樹脂が多用されてきたが、たとえば敷布団の場合、全面にわたってフラットなものか若しくは当該布団の折曲性を向上させるために数個に分割されたものが一般的であった。
【０００３】
また、寝心地や座心地をよくするため、人体の接触する面に無数の凹凸が形成されている芯材が利用された布団類が存在する。
さらに、芯材の表裏に条溝が形成されているマットレスも存在する（特許文献１）が、このマットレスの条溝のピッチは不均一で、且つ表面側の条溝の内底部と裏面側の条溝の内底部は対峙している。
【先行技術文献】
【特許文献】
【０００４】
【特許文献１】特開平１１−３１８６４６
【発明の概要】
【発明が解決しようとする課題】
【０００５】
前述のように、従来の布団類は全面にわたってフラットなものか若しくは数個に分割されたものが一般的であったが、この場合人体表面側の全面にわたって接触するため通気性が悪く、特に乳幼児をうつ伏せに寝かせた場合に誤って窒息させるおそれもあった。
【０００６】
また、フラットであるが故に折曲し難く搬送や収納に不便であった。複数に分割されたものはその分割部分のみでしか折曲できず、任意の部分で折曲することはできなかった。
表裏に条溝が形成されている前記マットレスについては、条溝のピッチが不均一であり、ピッチの小なる部分では折曲しやすいが、ピッチの大なる部分では折曲し難いことになる。
【０００７】
さらに、表面側の条溝の内底部と裏面側の条溝の内底部は対峙しているため、当該対峙部分は必然的に薄くなるので、前記条溝の深さを深くすると当該部分で破断するおそれが生ずる。
【０００８】
そこで、条溝の深さを浅くするか、条溝の深さを深くする場合にはマットレス自体の厚さを必要以上に厚くする必要があり、高価になる。
一方、マットレス自体を薄くすると条溝を浅くする必要が生じ、当該条溝の作用が充分でなくなる。
【０００９】
本発明はかかる従来の課題を解決するものであって、芯材の厚さを薄くしても充分な深さの条溝を形成することができ、通気性はもとより搬送性や収納性の高い布団類を実現せんとするものである。
【課題を解決するための手段】
【００１０】
第１の発明は、発泡樹脂にて形成されている芯材が囲繞部材にて囲繞されている布団類であって、前記芯材の表裏面に、夫々その全面にわたって直線状の条溝が相互に平行に延在形成されており、表面側の条溝同士のピッチと裏面側の条溝同士のピッチは均一且つ同一寸法Ｐ１であって、表面側の条溝と裏面側の条溝との間のピッチＰ２とはＰ１＞Ｐ２なる関係が成立し、且つ表面側の条溝を裏面側まで貫通させても裏面側の条溝とは干渉せず、裏面側の条溝を表面側まで貫通させても表面側の条溝とは干渉しない位置関係に、表面側の条溝と裏面側の条溝が形成されていることを特徴とするものである。
【００１１】
本発明では、芯材の表裏面に、夫々その全面にわたって直線状の条溝が相互に平行に延在形成されているので、通気性が高く、どの部分ででも容易に折曲できるばかりではなく、巻回することも容易である。
【００１２】
また、表面側の条溝同士のピッチと裏面側の条溝同士のピッチは均一且つ同一寸法Ｐ１であって、表面側の条溝と裏面側の条溝との間のピッチＰ２とはＰ１＞Ｐ２なる関係が成立し、且つ表面側の条溝を裏面側まで貫通させても裏面側の条溝とは干渉せず、裏面側の条溝を表面側まで貫通させても表面側の条溝とは干渉しない位置関係に形成されているので、芯材を薄くしても、表面側の条溝の内底部と裏面側の条溝の内底部との間が狭くならず、薄い芯材を使用しても充分深い条溝を形成することができる。
【００１３】
第２の発明は、前記第１の発明を前提とし、条溝の幅Ｐ３と条溝同士のピッチＰ１とは、Ｐ１／３＞Ｐ３なる関係が成立することを特徴とする布団類である。
本発明では、条溝の開口幅Ｐ３と条溝同士のピッチＰ１とは、Ｐ１／３＞Ｐ３なる関係が成立するので、人体と接触する部分の幅が開口幅よりも充分広く、人間に凹凸感を与えることはない。
【００１４】
第３の発明は、前記第１若しくは第２発明を前提とし、条溝はその延在方向と直交方向の断面がΩ状を呈している布団類である。
本発明では、条溝はその延在方向と直交方向の断面がΩ状を呈しているので、人体と接触する部分の幅が開口幅よりも充分広く、人間に凹凸感を与えることはない。
【００１５】
また、条溝内に吸湿剤や吸臭剤などを収納しても脱落し難くなる。
第４の発明は、前記第１ないし第３のいずれかの発明を前提とし、芯材に、布等の囲繞部材が直接囲繞されている布団類である。
【００１６】
本発明では、芯材に直接布等の囲繞部材が囲繞されており、綿等が介在されていないので乳幼児等がうつ伏せに寝て、鼻や口がふさがれても通気性があり窒息するおそれは少ない。
【００１７】
第５の発明は、前記第１ないし第３のいずれかの発明を前提とし、芯材に、綿類を介して布製の囲繞部が囲繞されている布団類である。
本発明では、芯材に、綿類を介して布製の囲繞部が囲繞されているので、感触が通常の布団のようになる。
【００１８】
第６の発明は、前記第１ないし第５のいずれかの発明を前提とし、芯材は独立気泡にてなる発泡樹脂にて形成されている布団類である。
本発明では、芯材は独立気泡にてなる発泡樹脂にて形成されているので、透水性や吸湿性が低いので、濡れた場合も容易に乾燥させることができる。
【００１９】
第７の発明は、前記第１ないし第５のいずれかの発明を前提とし、芯材は連続気泡にてなる発泡樹脂にて形成されている布団類である。
本発明では、芯材は連続気泡にてなる発泡樹脂にて形成されているので、通気性や通気性に優れた布団類を実現することができる。
【００２０】
第８の発明は、前記第１ないし第７のいずれかの発明を前提とし、条溝の内部に木炭等の吸湿剤若しくは吸臭剤が装着されている布団類である。
本発明では、条溝の内部に木炭等の吸湿剤若しくは吸臭剤が装着されているので、吸湿作用や吸臭作用が発揮されることになる。
【００２１】
第９の発明は、前記第１ないし第８のいずれかの発明を前提とし、条溝の内部にトルマリン等のマイナスイオン発生剤が装着されている布団類である。
本発明では、条溝の内部にトルマリン等のマイナスイオン発生剤が装着されているので、就寝中に自然にマイナスイオンに接触することが可能となる。
【発明の効果】
【００２２】
第１の発明では、芯材の表裏面に、夫々その全面にわたって直線状の条溝が相互に平行に延在形成されているので、通気性が高く、任意の部分で表裏どちらの方向にも容易に折曲できるばかりではなく、巻回することも容易である。
【００２３】
また、表面側の条溝同士のピッチと裏面側の条溝同士のピッチは均一且つ同一寸法Ｐ１であって、表面側の条溝と裏面側の条溝との間のピッチＰ２とはＰ１＞Ｐ２なる関係が成立し、且つ表面側の条溝を裏面側まで貫通させても裏面側の条溝とは干渉せず、裏面側の条溝を表面側まで貫通させても表面側の条溝とは干渉しない位置関係に形成されているので、芯材を薄くしても、表面側の条溝の内底部と裏面側の条溝の内底部との間が狭くならず、薄い芯材を使用しても充分深い条溝を形成することができる。
【００２４】
第２の発明では、条溝の開口幅Ｐ３と条溝同士のピッチＰ１とは、Ｐ１／３＞Ｐ３なる関係が成立するので、人体と接触する部分の幅が開口は幅よりも充分広く、人間に凹凸感を与えることはない。
【００２５】
第３の発明では、条溝はその延在方向と直交方向の断面がΩ状を呈しているので、人体と接触する部分の幅が開口は幅よりも充分広く、人間に凹凸感を与えることはなく、また、条溝内に吸湿剤や吸臭剤などを収納しても脱落し難くなる。
【００２６】
第４の発明では、芯材に直接布等の囲繞部材が囲繞されており、綿等が介在されていないので乳幼児等がうつ伏せに寝て、鼻や口がふさがれても通気性があり窒息するおそれは少ない。
【００２７】
第５の発明では、芯材に、綿類を介して布製の囲繞部が囲繞されているので、感触が通常の布団のようになる。
第６の発明では、芯材は独立気泡にてなる発泡樹脂にて形成されているので、透水性や吸湿性が低いので、濡れた場合も容易に乾燥させることができる。
【００２８】
第７の発明では、芯材は連続気泡にてなる発泡樹脂にて形成されているので、通気性や通気性に優れた布団類を実現することができる。
第８の発明では、条溝の内部に木炭等の吸湿剤若しくは吸臭剤が装着されているので、吸湿作用や吸臭作用が発揮され、清潔性が保たれる。
【００２９】
第９の発明では、条溝の内部にトルマリン等のマイナスイオン発生剤が装着されているので、就寝中にマイナスイオンが発生して活性酸素が低減し健康の増進に役立つことになる。
【図面の簡単な説明】
【００３０】
【図１】本発明の実施の形態に使用される芯材の部分側面図である。
【図２】本発明の実施の形態に使用される芯材の部分斜視図である。
【図３】本発明の第１の実施の形態の部分断面図である。
【図４】本発明の第２の実施の形態の部分断面図である。
【図５】本発明の第３の実施の形態の部分断面図である。
【発明を実施するための形態】
【００３１】
図面はいずれも本発明の実施の形態を示すもので、図１は芯材の部分側面図、図２は芯材の斜視図、図３は第１の実施の形態の部分断面図、図４は第２の実施の形態の部分断面図そしては第３の実施の形態の部分断面図である。
【００３２】
これらの図において、１は芯材となる発泡樹脂としてのポリウレタンフォームで、密度は２２ｋｇ／ｍ３硬さ１６０Ｎ、若しくは密度が２３ｋｇ／ｍ３硬さ１４０Ｎのものが使用される。
【００３３】
このポリウレタンフォーム１は独立気泡のものであるが連続気泡のものでもよい。
ポリウレタンフォーム１は厚さが５ｃｍ長さと幅は２ｍと１ｍ程度であるが、これらの寸法は任意に選択できるものである。
【００３４】
ポリウレタンフォーム１には、図１および図２に示されるように、その表裏面に、夫々その全面にわたって直線状の条溝２、３が相互に平行に延在形成され、表面側の条溝２同士のピッチと裏面側の条溝３同士のピッチは均一且つ同一寸法Ｐ１であって、表面側の条溝２と裏面側の条溝３との間のピッチＰ２とは、Ｐ１＝２×Ｐ２なる関係が成立し、且つ表面側の条溝２を裏面側まで貫通させても裏面側の条溝３とは干渉せず、裏面側の条溝３を表面側まで貫通させても表面側の条溝２とは干渉しない位置関係に、表面側の条溝２と裏面側の条溝３が形成されている。
【００３５】
すなわち、表面側の条溝２と裏面側の条溝３とは、Ｐ１の１／２ピッチ分（Ｐ２）だけ偏倚して形成されていることになる。
なお、表面側の条溝２を裏面側まで貫通させても裏面側の条溝３とは干渉せずに、また裏面側の条溝３を表面側まで貫通させても表面側の条溝２とは干渉しない位置関係が担保されるなら、必ずしもＰ１＝２×Ｐ２となる必要はなく、Ｐ１＞Ｐ２であればよい。
【００３６】
前記条溝２、３は、その延在方向と直交方向の断面がいずれもΩ状を呈しており、条溝２、３の開口幅Ｐ３と条溝同士のピッチＰ１とは、Ｐ１＞３×Ｐ３なる関係が成立しているが、この寸法関係は必ずしもこのとおりでなくともよい。
【００３７】
また、条溝２、３は、その延在方向と直交方向の断面が必ずΩ状である必要はなく、Ｕ字状やＶ字状であってもよく、またコ字状等種々の形状が考えられる。
前記ポリウレタンフォーム１には表裏に複数の条溝２、３が設けられているので、表面を内側でも、また裏面を内側でも、任意の位置で条溝２、３の延在方向と平行な折れ線で当該ポリウレタンフォーム１を容易に折曲することができる。
【００３８】
また、表面を内側でも、また裏面を内側でも、用意に巻回することが可能となる。
図３に示すものは、ポリウレタンフォーム１に、綿類５を介して布製の囲繞部４が囲繞されている布団類である。
【００３９】
ポリウレタンフォーム１の条溝２、３の開口幅Ｐ３が狭いと、条溝２、３の内部に綿類５が侵入せず、高い通気性が保持されることになる。
図４に示すものは、ポリウレタンフォーム１に、綿類５を介することなく直接布製の囲繞部４が囲繞されている布団類で、いわゆるマットレスと呼ばれるものである。
【００４０】
このように綿類５が介装されていないと通気性はより一層向上すると共に、乳幼児がうつ伏せに寝ても窒息する可能性は極めて低くなる。
図５に示すものは、条溝３、４の内部に、木炭等の吸湿剤６若しくは吸臭剤６が装着されている布団類である。
【００４１】
このように、条溝３、４の内部に、木炭等の吸湿剤６若しくは吸臭剤６が装着されていると、折曲性や巻回性は低下するが、吸湿効果や吸臭効果が期待でき、布団を清潔に保つことが可能となる。
【００４２】
また、条溝３、４の内部に、トルマリン等のマイナスイオン発生剤が装着されていると、睡眠中の人間に対してマイナスイオンが作用し健康の増進にもつながる。
【符号の説明】
【００４３】
１  ポリウレタンフォーム
２  表面側の条溝
３  裏面側の条溝
４  囲繞部
５  綿類
６  吸湿剤等
【図１】
2011104178.tif 000003
【図２】
2011104178.tif 000004
【図３】
2011104178.tif 000005
【図４】
2011104178.tif 000006
【図５】
2011104178.tif 000007